(57)【特許請求の範囲】
【請求項１】
熱交換器から滴下するドレン水を受けるドレンパンと、
前記ドレンパン内に設置され、前記ドレンパン内のドレン水に接触するように抗菌剤を収容する抗菌剤収容具と、
前記ドレンパンの内側に設けられ、前記抗菌剤収容具の設置位置近傍に開口部が形成されたベルマウスと、
を備え、
前記抗菌剤収容具は、
前記抗菌剤を収容する籠状の収容部と、
前記収容部の上端部から水平に延びた水平部と、前記収容部に対し反対側の前記水平部の端部から下方に延びた垂直部とからなり、前記収容部を前記ドレンパンの縁に固定する固定部と、
前記固定部の前記垂直部から一方向に突出したつまみ部と、
を有し、
前記ドレンパンは、前記収容部のうち前記固定部が設けられている側と対向する側の面、及び、前記収容部の側面の少なくともいずれか一方に沿うように、前記ドレンパンの底面から立ち上がって形成された壁部を有する天井埋込み型空気調和機。
【請求項２】
前記開口部は、前記抗菌剤収容具を出し入れ可能なサイズである請求項１に記載の天井埋込み型空気調和機。
【請求項３】
前記開口部に取り付けられ、前記開口部を封じる蓋部を更に備える請求項１又は２に記載の天井埋込み型空気調和機。
【請求項４】
熱交換器から滴下するドレン水を受けるドレンパンと、
前記ドレンパン内に設置され、前記ドレンパン内のドレン水に接触するように抗菌剤を収容する抗菌剤収容具と、
前記ドレンパンの内側に設けられ、前記抗菌剤収容具の設置位置近傍に開口部が形成されたベルマウスと、
を備え、
前記抗菌剤収容具は、
前記抗菌剤を収容する籠状の収容部と、
前記収容部の上端部から水平に延びた水平部と、前記収容部に対し反対側の前記水平部の端部から下方に延びた垂直部とからなり、前記収容部を前記ドレンパンの縁に固定する固定部と、
前記固定部の前記垂直部から一方向に突出したつまみ部と、
を有し、
前記ドレンパンは、前記収容部のうち前記固定部が設けられている側と対向する側の面、及び、前記収容部の側面の少なくともいずれか一方に沿うように、前記ドレンパンの底面から立ち上がって形成された壁部を有する天井埋込み型空気調和機のドレンパン清浄方法であって、
前記抗菌剤収容具に前記抗菌剤を収容するステップと、
前記開口部を介して前記抗菌剤収容具を前記ドレンパン内へ挿入するステップと、
前記抗菌剤収容具を前記壁部に沿わせて前記ドレンパン内に設置するステップと、
を備える天井埋込み型空気調和機のドレンパン清浄方法。
【発明の詳細な説明】
【技術分野】
【０００１】
本発明は、天井内にケース本体が設置される天井埋込み型空気調和機及びそのドレンパン清浄方法に関するものである。
【背景技術】
【０００２】
空気調和機では、冷房運転時に室内空気が熱交換器によって冷却されると、室内空気中の水分が熱交換器の表面に結露しドレンパン内に滴下する。ドレンパン内に溜まった水であるドレン水は、ドレンパンからポンプによって吸い上げられ、配管を通って外部へ排出される。
【０００３】
ドレンパン内は、長期間経つにつれて、バクテリアやカビ等の生菌が繁殖する等の理由によってスライムが発生する。スライムは、配管を詰まらせてドレン水を漏水させたり、悪臭を発生させたりする。
【０００４】
特許文献１には、天井埋込み型空気調和機の発明であって、ベルマウスに設けた収容部に、ワイヤを介して吸込グリルを昇降自在に支持する昇降装置の一部を収容して、その下部に蓋体を取り付ける技術が開示されている。
【先行技術文献】
【特許文献】
【０００５】
【特許文献１】特開２０００−２５７９０２号公報
【発明の概要】
【発明が解決しようとする課題】
【０００６】
ドレンパン内のスライム発生を防止するため、ドレンパン内に抗菌剤を設置することがある。しかし、天井埋込み型空気調和機の場合は、ドレンパン内に抗菌剤を設置したり、設置された抗菌剤を交換したりするとき、ケース本体からドレンパンを取り外す必要がある。そして、ドレンパンを取り外すには、ドレンパンからドレン水を抜く、ユニット配線を外すなどの作業を要し、手間や時間が掛かる。また、ユーザが専門業者に抗菌剤の設置や交換を依頼すると、設置費用や交換費用が大きいという問題があった。
【０００７】
本発明は、このような事情に鑑みてなされたものであって、ドレンパン内への抗菌剤の設置や交換を迅速かつ容易に行うことができ、ドレンパンを清浄に保つことが可能な天井埋込み型空気調和機及びそのドレンパン清浄方法を提供することを目的とする。
【課題を解決するための手段】
【０００８】
上記課題を解決するために、本発明の天井埋込み型空気調和機及びそのドレンパン清浄方法は以下の手段を採用する。
すなわち、本発明に係る天井埋込み型空気調和機は、熱交換器から滴下するドレン水を受けるドレンパンと、ドレンパン内に設置され、ドレンパン内のドレン水に接触するように抗菌剤を収容する抗菌剤収容具と、ドレンパンの内側に設けられ、抗菌剤収容具の設置位置近傍に開口部が形成されたベルマウスとを備える。
【０００９】
この発明によれば、ドレンパン内に抗菌剤収容具が設置され、抗菌剤収容具に収容された抗菌剤によってドレンパン内のドレン水が抗菌される。そして、ドレンパンの内側に設けられたベルマウスには、抗菌剤収容具の設置位置近傍に開口部が形成される。これにより、ユーザは開口部を通して抗菌剤収容具に容易にアクセスでき、抗菌剤収容具に抗菌剤を設置したり取外したりすることができる。その結果、ドレンパン内のメンテナンスが容易になる。
【００１０】
上記発明において、開口部は、抗菌剤収容具を出し入れ可能なサイズであってもよい。
【００１１】
この発明によれば、ユーザは、抗菌剤収容具を外へ取り出して抗菌剤の交換作業を行うことが可能である。
【００１２】
上記発明において、抗菌剤収容具は、抗菌剤を収容する籠状の収容部と、収容部をドレンパンの縁に固定する固定部と、固定部から一方向に突出したつまみ部と、を有してもよい。
【００１３】
この発明によれば、収容部が籠状であるためドレン水と抗菌剤が接触しやすい。また、収容部は固定部によってドレンパンの縁に固定されることで、抗菌剤収容具はドレンパン内に安定して設置される。更に、固定部から一方向につまみ部が突出しているため、ユーザは抗菌剤収容具を指で挟んで取扱い易い。
【００１４】
上記発明において、開口部に取り付けられ、開口部を封じる蓋部を更に備えてもよい。
【００１５】
この発明によれば、抗菌剤収容具へアクセスするとき以外は、蓋部によって開口部を封じることによって、送風機へ空気を導くベルマウスの機能を損なうことがない。
【００１６】
また、本発明に係る天井埋込み型空気調和機のドレンパン清浄方法は、熱交換器から滴下するドレン水を受けるドレンパンと、ドレンパン内に設置され、ドレンパン内のドレン水に接触するように抗菌剤を収容する抗菌剤収容具と、ドレンパンの内側に設けられ、抗菌剤収容具の設置位置近傍に開口部が形成されたベルマウスとを備える天井埋込み型空気調和機のドレンパン清浄方法であって、抗菌剤収容具に抗菌剤を収容するステップと、開口部を介して抗菌剤収容具をドレンパン内へ挿入するステップと、抗菌剤収容具をドレンパン内に設置するステップとを備える。
【発明の効果】
【００１７】
本発明によれば、ドレンパン内への抗菌剤の設置や交換を迅速かつ容易に行うことができ、ドレンパンを清浄に保つことができる。
【図面の簡単な説明】
【００１８】
【図１】本発明の一実施形態に係る天井埋込み型空気調和機を示す下面図である。
【図２】図１のＡ−Ａ線で切断した縦断面図である。
【図３】同実施形態に係る天井埋込み型空気調和機を示す部分拡大縦断面図である。
【図４】同実施形態に係る天井埋込み型空気調和機の抗菌剤収容具を示す斜視図である。
【図５】同実施形態に係る抗菌剤収容具の取り付け過程を示す部分拡大縦断面図である。
【図６】同実施形態に係る天井埋込み型空気調和機を示す部分拡大斜視図である。
【図７】同実施形態に係る抗菌剤収容具に収容される抗菌剤バッグを示す縦断面図である。
【発明を実施するための形態】
【００１９】
以下に、本発明に係る実施形態について、図面を参照して説明する。
天井埋込み型空気調和機は、ケース本体２が天井１に埋込まれて設置される。ケース本体２の内部には、図２に示すように、熱交換器７、ドレンパン１０、モータ５、送風機６、ベルマウス１２等が内蔵され、このケース本体２の下部には天井１の室内側面に露出する天井パネル８が装着される。図１は、天井埋込み型空気調和機を室内側から見た、すなわち装置下面から見た下面図であり、図２は、図１のＡ−Ａ線で切断した縦断面図である。
【００２０】
ドレンパン１０は、熱交換器７の下部に設けられ、熱交換器７から滴下するドレン水を受ける。ベルマウス１２は、ドレンパン１０の下部に設けられる。天井埋込み型空気調和機の下面中央部には吸込み口３が形成され、この吸込み口３に隣接して空気調和機の下面外周部に沿って吹出し口４が形成される。吸込み口３には、吸込みグリル１１と、吸込みグリル１１の上方にフィルタ１３とが設置される。
【００２１】
空気調和機が運転すると、図示しない室外ユニットからの冷媒が熱交換器７を循環し、モータ５によって送風機６が駆動される。送風機６の駆動によって、室内空気が吸込み口３から吸込みグリル１１、フィルタ１３を通り、ベルマウス１２に案内されて送風機６へ吸入される。そして、吸入された空気は、熱交換器７を通過することで、冷却又は加熱され、その後、吹出し口４から室内へ吹き出される。
【００２２】
空気調和機では、冷房運転時に室内空気が熱交換器７によって冷却されると、室内空気中の水分が熱交換器７の表面に結露しドレンパン１０内に滴下する。ドレンパン１０内に溜まった水であるドレン水は、ドレンパン１０からポンプによって吸い上げられ、配管を通って外部に排出される。
【００２３】
次に、ドレンパン１０内への抗菌剤の設置について説明する。
ドレンパン１０内は、長期間経つにつれて、バクテリアやカビ等の生菌が繁殖する等の理由によってスライムが発生する可能性がある。そして、スライムは、配管を詰まらせてドレン水を漏水させたり、悪臭を発生させたりする。そこで、本実施形態では、ドレンパン１０内に抗菌剤収容具１５を介して抗菌剤２７（図７参照）を設置することによって、スライムの発生を抑制する。
【００２４】
抗菌剤収容具１５は、図３及び図４に示すように、後述する抗菌剤バッグ２５を収容する籠状の収容部１６と、収容部１６をドレンパン１０の縁に固定する固定部１８と、固定部１８から一方向に突出したつまみ部１９からなる。なお、抗菌剤２７は、図７に示すように、例えば粒状であり、袋状に貼り合わされた抗菌剤バッグ２５に充填される。抗菌剤２７が充填される袋は、例えば不織布２６であり、袋の内外間で水を通過させる。なお、図３及び図４は、抗菌剤収容具１５内の抗菌剤バッグ２５を省略した図である。
【００２５】
抗菌剤２７の設置や交換は、抗菌剤バッグ２５ごとに行う。収容部１６は、複数の切欠き部１７が設けられて、籠状に形成される。収容部１６は、抗菌剤バッグ２５が脱け落ちないような間隔の隙間を有し、かつ隙間に水を通過させる。抗菌剤バッグ２５は、図４に示す収容部１６の一端側１６ａから挿入される。なお、収容部１６の一端側１６ａに対する反対側の他端や収容部１６の上端は、壁が立上げられており、抗菌剤バッグ２５の脱落を防止する。
【００２６】
固定部１８は、収容部１６に設けられ、ドレンパン１０の縁に合った形状を有して収容部１６をドレンパン１０の縁に対して確実に固定させる。図３及び図４の例では、固定部１８は、収容部１６の上端部から水平に延びた水平板材と、収容部１６側に対して反対側の水平板材の端部から下方に延びた垂直板材からなり、該垂直板材と収容部１６との間でドレンパン１０の縁を固定する。
【００２７】
つまみ部１９は、図３及び図４の例では、固定部１８の垂直板材から一方向に突出した部材である。つまみ部１９はユーザが抗菌剤収容具１５を指で挟むことができるサイズであり、ユーザはつまみ部１９によって抗菌剤収容具１５を取扱い易くなる。
【００２８】
抗菌剤収容具１５に抗菌剤バッグ２５を設置したり交換したりするため、ベルマウス１２には、抗菌剤収容具１５の設置位置近傍に開口部２１が形成される。これにより、ユーザは、開口部２１を通して抗菌剤収容具１５に容易にアクセスでき、抗菌剤収容具１５に抗菌剤バッグ２５を設置したり取外したりすることができる。その結果、ドレンパン１０内のメンテナンスが容易になる。
【００２９】
開口部２１は、抗菌剤収容具１５をケース本体２内へ入れたり、ケース本体２外部へ取り出したりすることが可能なサイズである。これにより、抗菌剤収容具１５に抗菌剤バッグ２５の交換をケース本体２の外部で行うことができ、交換作業が容易になる。
【００３０】
また、開口部２１には、開口部２１を封じる蓋２０が取り付けられる。蓋２０が取り付けられることによって、送風機６へ空気を導くベルマウス１２の表面が滑らかになり、ベルマウス１２の機能が損なわれることがない。
【００３１】
次に、本実施形態の抗菌剤収容具１５を使用した空気調和機のドレンパン１０の清浄方法について説明する。
【００３２】
抗菌剤収容具１５を出し入れするための開口部２１は、ベルマウス１２に設けられている。したがって、空気調和機が通常使用されている状態で、開口部２１を露出させるため、吸込み口３に設けられた吸込みグリル１１とフィルタ１３とをケース本体２から取外す。これにより、空気調和機の下面にベルマウス１２に形成された開口部２１が露出する。そして、開口部２１の近傍に抗菌剤収容具１５の設置位置があるため、開口部２１を介して抗菌剤収容具１５の交換作業が可能である。
【００３３】
従来、抗菌剤収容具１５を交換するには、吸込みグリル１１とフィルタ１３だけでなく、ケース本体２からドレンパン１０を取り外す必要があった。そして、ドレンパン１０を取り外すには、ドレンパン１０からドレン水を抜く、ユニット配線を外すなどの作業を要し、手間や時間、コストが掛かっていた。一方、本実施形態によれば、フィルタ１３の交換又は清掃作業と同様に、ケース本体２から吸込みグリル１１とフィルタ１３を取外せばよく、その後開口部２１の蓋２０を取外すだけで、抗菌剤収容具１５を交換できるため、作業の手間や時間、コストを大幅に削減できる。
【００３４】
抗菌剤収容具１５は、ドレンパン１０に対して取付け及び取外し可能であり、ドレンパン１０から取外した状態で、抗菌剤収容具１５の収容部１６内の抗菌剤バッグ２５を交換する。抗菌剤バッグ２５には、不織布２６内に抗菌剤２７が充填されている。ドレンパン１０の開口部２１が抗菌剤収容具１５を出し入れ可能なサイズで形成されているため、ユーザは抗菌剤収容具１５をケース本体２から外へ取り出して抗菌剤バッグ２５の交換作業を行うことが可能である。
【００３５】
抗菌剤バッグ２５を交換後、図５に示すように、抗菌剤収容具１５を開口部２１からケース本体２内部へ挿入し、ドレンパン１０の縁に抗菌剤収容具１５の固定部１８を固定する。これにより、抗菌剤収容具１５は、図３や図６に示すように、ドレンパン１０に対して安定して設置される。抗菌剤収容具１５は、内部に収容する抗菌剤２７がドレンパン１０内のドレン水と接触するように設置される。したがって、ドレン水が抗菌剤と接触することによって、抗菌剤２７が作用しドレンパン１０内にスライムが発生するのを防止できる。
【００３６】
そして、開口部２１に蓋２０を取り付ける。これにより、ベルマウス１２の表面が蓋２０によって滑らかになるため、送風機６へ空気を導くベルマウス１２の機能が維持される。その後、吸込み口３に吸込みグリル１１とフィルタ１３を取り付ける。
【００３７】
抗菌剤２７の交換などのため、抗菌バッグ２５が収容された抗菌剤収容具１５をケース本体２から取り出すときは、上述の方法とは反対の手順を行う。すなわち、吸込みグリル１１とフィルタ１３を吸込み口３から取外し、ベルマウス１２の開口部２１から蓋２０を取外す。そして、開口部２１を介してドレンパン１０内に設置されている抗菌剤収容具１５を、ケース本体２から取り出す。その結果、ユーザは、ケース本体２の外で使用済みの抗菌バッグ２５から新たな抗菌剤２７が収容された抗菌剤バッグ２５へ交換できる。
【００３８】
以上、本実施形態によれば、ドレンパン１０内に抗菌剤収容具１５が設置され、抗菌剤収容具１５に収容された抗菌剤２７によってドレンパン１０内のドレン水が抗菌される。そして、ドレンパン１０の内側に設けられたベルマウス１２には、抗菌剤収容具１５の設置位置近傍に開口部２１が形成される。これにより、ユーザは開口部２１を通して抗菌剤収容具１５に容易にアクセスでき、抗菌剤収容具１５に抗菌剤バッグ２７、すなわち抗菌剤２７を設置したり取外したりすることができる。その結果、ドレンパン１０内のメンテナンスが容易になる。
【００３９】
なお、上記実施形態では、ベルマウス１２に設けられる開口部２１は、抗菌剤収容具１５が出し入れ可能なサイズであるとしたが、本発明はこの例に限定されない。例えば、ユーザの手を入れることができ、抗菌剤収容具１５へアクセスして抗菌剤２７を交換することができれば、開口部２１は、抗菌剤収容具１５よりも小さいサイズであってもよい。また、上記実施形態では、抗菌剤収容具１５の例として、図３や図４を用いて説明した形状のものを挙げたが、本発明はこの例に限定されない。抗菌剤収容具１５は、交換容易の観点から、ドレンパン１０に対して取外し可能であることが望ましいが、ドレンパン１０から取外すことができずに固定されているものでもよい。更に、抗菌剤収容具１５の収容部１６、固定部１８及びつまみ部１９は、図３や図４等で示した例以外の形状でもよく、また更につまみ部１９が設けられない形状のものでもよい。
【符号の説明】
【００４０】
１  天井
２  ケース本体
３  吸込み口
４  吹出し口
５  モータ
６  送風機
７  熱交換器
８  天井パネル
１０  ドレンパン
１１  吸込みグリル
１２  ベルマウス
１３  フィルタ
１５  抗菌剤収容具
１６  収容部
１７  切欠き部
１８  固定部
１９  つまみ部
２０  蓋（蓋部）
２１  開口部
２５  抗菌剤バッグ
２６  不織布
２７  抗菌剤
【図１】
0005909069.tif 000002
【図２】
0005909069.tif 000003
【図３】
0005909069.tif 000004
【図４】
0005909069.tif 000005
【図５】
0005909069.tif 000006
【図６】
0005909069.tif 000007
【図７】
0005909069.tif 000008